(57)【特許請求の範囲】
【請求項１】
長方形の長辺側がギザギザ等の形状をもち、基本横筋兼用ブロックの横側鉄筋が入る溝に、折り曲げて押し入れた場合、そのギザギザ等の形状がバックストップ効果をもたらし、容易にブロックの溝から抜け出ないようにしたモルタル流下防止具。
【請求項２】
長方形の長辺側どうしを、つまんで折り曲げたさいに、一方が基本横筋兼用ブロックの横側鉄筋が入る溝と平行に接する曲面となり、他方がその曲面から外出し、一対となって基本横筋兼用ブロックのまん中の穴の短辺側に接する曲面となるよう、長方形の短辺側に相対して２つの切り欠け部を設け、その末端どうしを結ぶ基本横筋兼用ブロックのまん中の穴に対応する曲線を、曲げ加工が容易に行えるよう、曲げ線等の加工をほどこしたモルタル流下防止具。
【請求項３】
請求項２のモルタル流下防止具が折り曲がった状態であるモルタル流下防止具。
【請求項４】
長方形もしくは、長辺側の両端がややつぼまった形にテーパーをつけた準長方形の長辺側が、ギザギザ等の形状をもち、その長方形もしくは準長方形の長辺側どうしをつまんで折り曲げたさいに、一方が基本横筋兼用ブロックの横側鉄筋の入る溝と平行に接する曲面となり、他方がその曲面から外出し、一対となって基本横筋兼用ブロックのまん中の穴の短辺側に接するよう、その長方形もしくは準長方形の内面に、相対する２つのコの字状もしくはＵ字状の切り込み部を設け、その切込み部末端どうしを結ぶ基本横筋兼用ブロックのまん中の穴に対応する曲線を、曲げ加工が容易に行えるよう、曲げ線等の加工をほどこしたモルタル流下防止具。
【発明の詳細な説明】
【発明の詳細な説明】
【技術分野】
【０００１】この発明は、コンクリート空洞ブロックの基本横筋兼用ブロックにおける、まん中の穴への不必要なモルタルの流下を防ぐ部材に関するものである。
【背景技術】
【０００２】従来、基本横筋兼用ブロックのまん中の穴への不必要なモルタルの流下防止策としては、ただ単に、まん中の穴へ新聞紙をつめるなどの対策が取られていた。【０００３】別の策として、鉄筋をブロックの溝に接するまで下げ、穴の隙間を小さくして、モルタルが落下しながらも、モルタルの硬化を待ちながら数度モルタルを充填していく方法がとられている。
しかし、ブロックと鉄筋が接するということは極端に塀の強度を弱くし鉄筋が腐食するのを急激に早める。【０００４】一方で、基本横筋兼用ブロックのまん中の穴全部をモルタルで埋めるという説もあるが、ブロック塀の重量を増させることは、地震時における転倒荷重を増させることになり、上方にいたるほど、基本横筋兼用ブロックのまん中の穴（以後、まん中の穴と記す）へのモルタルの充填は避けたい。詳しく説明すれば、そのまん中の穴に鉄筋を入れない場合、園芸用のシャベルで一杯程度モルタルを入れるのは、下のブロックと密着がよくなるが、それ以上は入れても強度的にはそう変わらない。地震の場合を考えれば、余計にモルタルを入れないほうがよい。また、もともとは横筋用ブロックにはまん中の穴はなく、元来それで施工していたので強度的には、まん中の穴にモルタルを入れなくてもなんの問題もない。
【発明が解決しようとする課題】
【０００５】この発明の課題は、ブロックのまん中の穴に不必要なモルタルの流下を防ぐ流下防止具を提供することにある。
【０００６】もうひとつは、その防止具を紙質でも可能な構造とし、将来できあがったブロック塀を取り壊し、再生砕石として、そのブロックを粉砕して再利用するさい、処分場で防止具（粉砕された防止具）を取り除く必要をなくし、環境問題を軽減させることである。
さらに、いらなくなった廃材の紙を防止具を作る材料に用いれば環境対策に二重の効果が得られる。
【課題を解決するための手段】
【０００７】図１は、請求項１のモルタル流下防止具１の平面図であるが、これはブロック２の横側鉄筋（以後は横筋と記す）とモルタルが入る溝（以後は溝と記す）に、図２のように折り曲げて入れ、外周のギザギザ等の形状のバックストップ効果で容易に溝から抜け出ることがないようにしたものである。
【０００８】図４は、請求項２のモルタル流下防止具８の実寸大の平面図であるが、図５は、上下図はさかさまになっているが、その状態でブロック２のまん中の穴３に入れるわけである。
そのとき、接片４は紙等が広がろうとする力でブロック２のまん中の穴３の短辺方向に接圧する。
上部接面５は、紙等が広がろうとする力でブロック２の溝に接圧する。
以上の構成で、風等で容易に飛ばされない構造にしたものである。
曲げ線７は、二つの曲面を形成させるものでもあるが、一方で底面６の上にモルタルが入った場合、その重量等による荷重に対する底面６の補強の役割も果たすものである。
【０００９】図６は、モルタル流下防止具１４の実寸大の平面図であるが、図７のように折り曲げてブロック２のまん中の穴３に入れるものである。
そのとき、外周のギザギザ等がブロック２の溝との摩擦抵抗を大いに増しバックストップ効果をもたらし、ブロック２の溝から容易に抜け出ない（実使用では一度入れたら抜けなくなる）構造にしたものである。
接片９は、モルタル流下防止具８同様に、ブロック２のまん中の穴３の短辺方向に接圧し、曲げ線１０も同様に、二つの曲面の形成と、モルタルの荷重等に対する補強の役割もはたすものである。
接面１１、外接面１３、底面１２は折り曲げてブロック２の溝に入れた場合、ブロック２の溝と同様な曲面の形状となり、その同一曲面上にあるわけであるが、外接面１３がブロック２のまん中の穴３の外側にも存在することで、いっそうブロック２との密着が完全なものとなり、曲面全体の強度も高めるものである。
【００１０】一方、モルタル流下防止具１４の接片９を下に折らずに、同一曲面にして曲げてブロック２の溝の中に入れても使える。
その場合、接片９、曲げ線１０が有することで外周にあるギザギザ等のバックストップ効果を増すことになる。
逆に言えば、モルタル流下防止具１のように中に切れ目や折れ線がないものより、実使用では紙等が腰抜けになりにくく、外周のギザギザ部分のブロック２の溝への当りを強くしている。
【発明の効果】
【００１１】以上説明したように本発明によって、
（イ）ブロックのまん中の穴への不必要なモルタルの流下が防止できる。
（ロ）モルタル流下防止具を紙製にすれば、将来積んだブロック塀のブロックを、処分場      でクラッシャー等で粉砕し再生砕石にする場合、合成樹脂性や金属製であれば取り      除かなければならないが、その必要がなくなる。
（ハ）このモルタル流下防止具を作るために、いらなくなった廃材の紙を使えば二重の環      境的効果が得られる。
【図面の簡単な説明】
【図１】本発明のモルタル流下防止具１の平面図
【図２】本発明のモルタル流下防止具１の使用状態を示す斜視図
【図３】本発明のモルタル流下防止具１の使用状態を示す斜視図
【図４】本発明のモルタル流下防止具７の平面図
【図５】本発明のモルタル流下防止具７を折り曲げて上下反転したところの斜視図
【図６】本発明のモルタル流下防止具１３の平面図
【図７】本発明のモルタル流下防止具１３の使用状態を示す斜視図
【図８】本発明のモルタル流下防止具１３の使用状態を示す上面図
【図９】基本横筋兼用ブロックの斜視図
【符号の説明】
１．モルタル流下防止具
２．基本横筋兼用ブロック
３．基本横筋兼用ブロックのまん中の穴
４．接片
５．上部接面
６．底面
７．曲げ線
８．モルタル流下防止具
９．接片
１０．曲げ線
１１．上部接面
１２．底面
１３．外部接面
１４．モルタル流下防止具
【図１】
0005154902.tif 000002
【図２】
0005154902.tif 000003
【図３】
0005154902.tif 000004
【図４】
0005154902.tif 000005
【図５】
0005154902.tif 000006
【図６】
0005154902.tif 000007
【図７】
0005154902.tif 000008
【図８】
0005154902.tif 000009
【図９】
0005154902.tif 000010